(57)【要約】      （修正有）【課題】カバーを有するラッチを提供する。【解決手段】ラッチ１００が、フレームとの関係においてパネルを固定するように構成され、このラッチは長手方向軸を有し長手方向軸に沿ってアパーチャを画定するハウジング１１０と；長手方向軸を中心にして回転するためにハウジングのアパーチャの内部に組付けられ、駆動表面を含むキャップ１２０と；横方向軸を中心として枢動するようにハウジングに対し結合されたカバー２００であって、カバーがキャップを覆っている閉鎖位置になるように枢動可能であるカバーとを含み、ここで、キャップが非ラッチ位置にあるとき、キャップの駆動表面はカバーの係合表面と整列し、カバーが閉鎖位置まで枢動するのを妨害するように位置付けされており、キャップがラッチ位置にあるとき、駆動表面は、カバーの係合表面と整列しておらず、カバーが閉鎖位置まで枢動できるようにするべく位置付けされている。【選択図】図２Ａ
0003224000.tif 000002
【実用新案登録請求の範囲】
【請求項１】
フレームとの関係においてパネルを固定するように構成されたラッチにおいて、
前記パネルに対し係合するように構成されたハウジングであって、長手方向軸を有し前記長手方向軸に沿ってアパーチャを画定するハウジングと;
前記長手方向軸を中心にして回転するために前記ハウジングの前記アパーチャの内部に組付けられたキャップであって、ラッチ位置と非ラッチ位置の間で前記ハウジングとの関係において前記キャップを回転させるための駆動表面を含むキャップと；
前記長手方向軸とは異なる横方向軸を中心として枢動するように前記ハウジングに対し結合されたカバーであって、カバーが前記キャップを覆っている閉鎖位置になるように枢動可能であり、前記横方向軸から離隔した係合表面を含むカバーと；
を含み、
前記キャップが前記非ラッチ位置にあるとき、前記キャップの前記駆動表面は、前記カバーの前記係合表面と整列し、前記カバーが前記閉鎖位置まで枢動するのを妨害するように位置付けされており；
前記キャップが前記ラッチ位置にあるとき、前記キャップの前記駆動表面は、前記カバーの前記係合表面と整列しておらず、前記カバーが前記閉鎖位置まで枢動できるようにするべく位置付けされている、
ラッチ。
【請求項２】
前記キャップが、前記長手方向軸に沿って延在し前記駆動表面を形成する駆動スタッドを含む、請求項１に記載のラッチ。
【請求項３】
前記駆動表面が前記駆動スタッド内に画定された陥凹を含む、請求項２に記載のラッチ。
【請求項４】
前記キャップが、前記長手方向軸に沿った方向に延在し前記駆動表面の少なくとも一部分を形成する駆動開口部を画定している、請求項１に記載のラッチ。
【請求項５】
前記駆動表面が前記駆動開口部の壁内に画定された陥凹を含む、請求項４に記載のラッチ。
【請求項６】
前記係合表面は、前記カバーが前記閉鎖位置にあるとき前記キャップに面する前記カバーの表面から延在する突出部によって画定されている、請求項１に記載のラッチ。
【請求項７】
前記横方向軸に沿って延在するヒンジをさらに含む、請求項１に記載のラッチ。
【請求項８】
前記ヒンジが、前記ハウジングとの関係において回転しないように固定された第１のカム、前記カバーとの関係において回転しないように固定された第２のカム、および前記第１および第２のカムを互いに接触するように偏倚させるバネを含む、請求項７に記載のラッチ。
【請求項９】
前記第１および第２のカムが各々第１および第２のカム表面を含み、
前記バネにより生成される前記第１のカム表面間の接触が、前記閉鎖位置に向かう方向に回転するように前記カバーを偏倚させ、
前記バネにより生成される前記第２のカム表面間の接触が、前記閉鎖位置から離れる方向に前記カバーを回転させる、
請求項８に記載のラッチ。
【請求項１０】
前記キャップに結合され、前記フレームと係合するように構成された、ツメ、をさらに含む、請求項１に記載のラッチ。
【請求項１１】
前記ハウジングの前記アパーチャの内部で前記長手方向軸に沿って延在するシャフトであって、前記長手方向軸を中心にして回転するために組付けられており、さらに前記キャップとの関係における軸方向移動のために組付けられているシャフトと；
前記長手方向軸に沿って前記キャップから離れるように前記シャフトを偏倚させるように構成されたバネと；
前記シャフトと前記ハウジングの間に挿入されたスリーブであって、第１のスロットを画定しているスリーブと；
前記シャフトと前記ハウジングの間に挿入されたカムであって、前記長手方向軸を中心にして前記スリーブとの関係において回転可能であり、第２のスロットを画定するカムと；
前記長手方向軸との関係において前記シャフトから半径方向外向きに延在するピンであって、前記第１および第２のスロット内に延在するピンと；
をさらに含み、
前記第１および第２のスロットは、前記ツメが前記フレームと係合するかまたはこれと係合解除するような形で前記キャップが前記ハウジングの内部を回転させられるにつれて、前記シャフトの前記回転および軸方向移動を誘導するように構成されている、
請求項１０に記載のラッチ。
【請求項１２】
フレームとの関係においてパネルを固定するように構成されたラッチにおいて、
前記パネルに対し係合するように構成されたハウジングであって、長手方向軸を有し前記長手方向軸に沿ってアパーチャを画定するハウジングと;
前記長手方向軸を中心にして回転するために前記ハウジングの前記アパーチャの内部に組付けられたキャップであって、ラッチ位置と非ラッチ位置の間で前記ハウジングとの関係において前記キャップを回転させるための駆動スタッドを含み、前記駆動スタッド内に陥凹が画定されている、キャップと；
前記ハウジングに対して剛結合されたベースと；
前記長手方向軸とは異なる横方向軸を中心として枢動するように前記ベースに結合される蓋であって、この蓋が前記キャップを覆っている閉鎖位置になるように枢動可能であり、カバーが前記閉鎖位置にあるとき前記キャップに面する前記カバーの表面から延在する突出部を含む、蓋と；
前記横方向軸に沿って延在し、前記蓋を前記ベースに結合するヒンジであって、前記ベースとの関係において回転しないように固定された第１のカム、前記蓋との関係において回転しないように固定された第２のカム、および前記第１および第２のカムを互いに接触するように偏倚させるバネを含む、ヒンジと；
を含むラッチであって、
前記キャップが前記非ラッチ位置にあるとき、前記キャップの前記陥凹は、前記蓋の前記突出部と整列しておらず、前記駆動スタッドは、前記蓋が前記閉鎖位置まで枢動するのを妨害するように位置付けされており、
前記キャップが前記ラッチ位置にあるとき、前記キャップの前記陥凹は、前記蓋の前記突出部と整列しており、前記駆動スタッドは、前記蓋が前記閉鎖位置まで枢動できるように位置付けされている、
ラッチ。
【請求項１３】
前記第１および第２のカムが各々第１および第２のカム表面を含み、
前記バネにより生成される前記第１のカム表面間の接触が、前記閉鎖位置に向かう方向に回転するように前記蓋を偏倚させ、
前記バネにより生成される前記第２のカム表面間の接触が、前記閉鎖位置から離れる方向に前記蓋を回転させる、
請求項１２に記載のラッチ。
【請求項１４】
フレームと；
開放位置と閉鎖位置の間の前記フレームとの関係における移動のために組付けられたパネルと；
前記閉鎖位置で前記フレームとの関係において前記パネルを固定するように位置付けされた、前記パネルに結合されたラッチと、を含むコンパートメントであって、
前記ラッチは、
前記パネルに対し係合するように構成されたハウジングであって、長手方向軸を有し前記長手方向軸に沿ってアパーチャを画定するハウジングと;
前記長手方向軸を中心にして回転するために前記ハウジングの前記アパーチャの内部に組付けられたキャップであって、ラッチ位置と非ラッチ位置の間で前記ハウジングとの関係において前記キャップを回転させるための駆動表面を含むキャップと；
前記長手方向軸とは異なる横方向軸を中心として枢動するように前記ハウジングに対し結合されたカバーであって、カバーが前記キャップを覆っている閉鎖位置になるように枢動可能であり、前記横方向軸から離隔した係合表面を含むカバーと；
を含む、ラッチであり、
前記キャップが前記非ラッチ位置にあるとき、前記キャップの前記駆動表面は前記カバーの前記係合表面と整列し、前記カバーが前記閉鎖位置まで枢動するのを妨害するように位置付けされており；
前記キャップが前記ラッチ位置にあるとき、前記キャップの前記駆動表面は前記カバーの前記係合表面と整列しておらず、前記カバーが前記閉鎖位置まで枢動できるようにするべく位置付けされている、
コンパートメント。
【請求項１５】
前記ハウジングが、前記ハウジングの前記長手方向軸から半径方向外向きに延在する陥凹を画定し、前記カバーは、前記カバーが前記閉鎖位置にあるとき前記陥凹内へと延在するように位置付けされたハウジング係合表面を含む、請求項１に記載のラッチ。
【請求項１６】
前記ハウジング係合表面が前記係合表面から延在している、請求項１５に記載のラッチ。
【請求項１７】
前記係合表面および前記ハウジング係合表面は、前記カバーが前記閉鎖位置にあるとき前記キャップおよび前記ハウジングの相対的回転を阻止している、請求項１５に記載のラッチ。
【請求項１８】
前記ハウジングとの関係において回転しないように固定されたベースをさらに含み、前記カバーが前記ベースに枢動可能な形で連結されている、請求項１に記載のラッチ。
【請求項１９】
前記ベース上または前記カバー上の突出部との係合のため前記カバー上または前記ベース上に画定された陥凹をさらに含み、前記陥凹および前記突出部は、前記カバーが前記閉鎖位置にあるとき前記ハウジングとの関係における前記カバーの回転に抵抗するように位置付けされている、請求項１８に記載のラッチ。
【請求項２０】
前記陥凹が前記カバー上に画定され、前記突出部が前記ベース上にある、請求項１９に記載のラッチ。
【考案の詳細な説明】
【技術分野】
【０００１】
本出願は、全ての目的のため内容全体が参照により本明細書に組込まれている、２０１６年１２月８日出願の「カバーを有するラッチ」とのタイトルの米国仮特許出願第６２／４３１，６７７号に関連するものであり、その優先権の利益を主張するものである。
【０００２】
本考案は、概してラッチに関し、詳細には、保管用コンパートメントの安全を保証するために使用でき、ラッチのラッチ状態および非ラッチ状態に関する明確な標示を提供することのできる圧縮ラッチに関する。
【背景技術】
【０００３】
従来、制限部域（例えば商業、鉄道または医療環境など）内にある保管用コンパートメントは、その中味に対する無許可のアクセスを防止するため、安全性が保証されていなければならない。このようなコンパートメントに対するアクセスを、対応するキーを有するユーザに制限するために、ラッチを使用することができる。多くのラッチにおいて、ラッチが開放位置にあるかまたは閉鎖位置にあるかを、ユーザが明確に見ることができない可能性がある。このようなラッチについては、そのラッチがラッチ状態にあるか非ラッチ状態にあるかに関する標示を提供することが有利であり得る。
【考案の概要】
【０００４】
本考案の態様は、ラッチに関する。
【０００５】
本考案の一態様によると、ラッチは、フレームとの関係においてパネルを固定するように構成されている。このラッチは、パネルに対し係合するように構成されたハウジングであって、長手方向軸を有し長手方向軸に沿ってアパーチャを画定するハウジングと;長手方向軸を中心にして回転するためにハウジングのアパーチャの内部に組付けられたキャップであって、ラッチ位置と非ラッチ位置の間でハウジングとの関係においてキャップを回転させるための駆動表面を含むキャップと；長手方向軸とは異なる横方向軸を中心として枢動するようにハウジングに対し結合されたカバーであって、カバーがキャップを覆っている閉鎖位置になるように枢動可能であり、横方向軸から離隔した係合表面を含むカバーと；を含み、ここで、キャップが非ラッチ位置にあるとき、キャップの駆動表面はカバーの係合表面と整列し、カバーが閉鎖位置まで枢動するのを妨害するように位置付けされており；キャップがラッチ位置にあるとき、キャップの駆動表面はカバーの係合表面と整列しておらず、カバーが閉鎖位置まで枢動できるようにするべく位置付けされている。
【０００６】
キャップは、長手方向軸に沿って延在し駆動表面を形成する駆動スタッドを含むことができ、駆動表面は駆動スタッド内に画定された陥凹を含むことができる。同様に、キャップは、長手方向軸に沿った方向に延在し駆動表面の少なくとも一部分を形成する駆動開口部を画定することができ、駆動表面は、駆動開口部の壁内に画定された陥凹を含むことができる。係合表面は、カバーが閉鎖位置にあるときキャップに面するカバーの表面から延在する突出部によって画定され得る。
【０００７】
ラッチは、横方向軸に沿って延在するヒンジを含むことができる。ヒンジは、ハウジングとの関係において回転しないように固定された第１のカム、カバーとの関係において回転しないように固定された第２のカム、および第１および第２のカムを互いに接触するように偏倚させるバネを含むことができる。第１および第２のカムが各々第１および第２のカム表面を含むことができ、ここで、バネにより生成される第１のカム表面間の接触は、閉鎖位置に向かう方向に回転するようにカバーを偏倚させ、バネにより生成される第２のカム表面間の接触は、閉鎖位置から離れる方向にカバーを回転させる。
【０００８】
ラッチは同様に、キャップに結合され、フレームと係合するように構成されたツメ（pawl、歯止め）も含むことができる。同様に、ラッチは、ハウジングのアパーチャの内部で長手方向軸に沿って延在するシャフトであって、長手方向軸を中心にして回転するために組付けられており、さらにキャップとの関係における軸方向移動のために組付けられているシャフトと；長手方向軸に沿ってキャップから離れるようにシャフトを偏倚させるように構成されたバネと；シャフトとハウジングの間に挿入されたスリーブであって、第１のスロットを画定しているスリーブと；シャフトとハウジングの間に挿入されたカムであって、長手方向軸を中心にしてスリーブとの関係において回転可能であり、第２のスロットを画定するカムと；長手方向軸との関係においてシャフトから半径方向外向きに延在するピンであって、第１および第２のスロット内に延在するピンと；を含むことができ、ここで、第１および第２のスロットは、ツメがフレームと係合するかまたはこれと係合解除するような形でキャップがハウジングの内部を回転させられるにつれて、シャフトの回転および軸方向移動を誘導するように構成されている。
【０００９】
本考案の別の態様によると、ラッチは、フレームとの関係においてパネルを固定するように構成されており、このラッチは、パネルに対し係合するように構成されたハウジングであって、長手方向軸を有し長手方向軸に沿ってアパーチャを画定するハウジングと;長手方向軸を中心にして回転するためにハウジングのアパーチャの内部に組付けられたキャップであって、ラッチ位置と非ラッチ位置の間でハウジングとの関係においてキャップを回転させるための駆動スタッドを含み、前記駆動スタッド内に陥凹が画定されているキャップと；ハウジングに対して剛結合されたベースと；長手方向軸とは異なる横方向軸を中心として枢動するようにベースに結合される蓋であって、この蓋がキャップを覆っている閉鎖位置になるように枢動可能であり、カバーが閉鎖位置にあるときキャップに面するカバーの表面から延在する突出部を含む蓋と；横方向軸に沿って延在し、蓋をベースに結合するヒンジであって、ベースとの関係において回転しないように固定された第１のカム、蓋との関係において回転しないように固定された第２のカム、および第１および第２のカムを互いに接触するように偏倚させるバネを含むヒンジと；を含み、ここで、キャップが非ラッチ位置にあるとき、キャップの陥凹は、蓋の突出部と整列しておらず、駆動スタッドは、蓋が閉鎖位置まで枢動するのを妨害するように位置付けされており、かつここで、キャップがラッチ位置にあるとき、キャップの陥凹は、蓋の突出部と整列しており、駆動スタッドは、蓋が閉鎖位置まで枢動できるように位置付けされている。
【００１０】
第１および第２のカムは各々第１および第２のカム表面を含むことができ、ここでバネにより生成される第１のカム表面間の接触は、閉鎖位置に向かう方向に回転するように蓋を偏倚させ、かつここで、バネにより生成される第２のカム表面間の接触は、閉鎖位置から離れる方向に蓋を回転させる。
【００１１】
本考案のさらに別の態様によると、コンパートメントは、フレームと：開放位置と閉鎖位置の間のフレームとの関係における移動のために組付けられたパネルと；閉鎖位置でフレームとの関係においてパネルを固定するように位置付けされた、パネルに結合されたラッチと；を含むコンパートメントであり、ラッチは、パネルに対し係合するように構成されたハウジングであって、長手方向軸を有し長手方向軸に沿ってアパーチャを画定するハウジングと;長手方向軸を中心にして回転するためにハウジングのアパーチャの内部に組付けられたキャップであって、ラッチ位置と非ラッチ位置の間でハウジングとの関係においてキャップを回転させるための駆動表面を含むキャップと；長手方向軸とは異なる横方向軸を中心として枢動するようにハウジングに対し結合されたカバーであって、カバーがキャップを覆っている閉鎖位置になるように枢動可能であり、横方向軸から離隔した係合表面を含むカバーと；を含むラッチであり、ここで、キャップが非ラッチ位置にあるとき、キャップの駆動表面はカバーの係合表面と整列し、カバーが閉鎖位置まで枢動するのを妨害するように位置付けされており；キャップがラッチ位置にあるとき、キャップの駆動表面はカバーの係合表面と整列しておらず、カバーが閉鎖位置まで枢動できるようにするべく位置付けされている。
【００１２】
ハウジングは、ハウジングの長手方向軸から半径方向外向きに延在する陥凹を画定することができ、カバーは、カバーが閉鎖位置にあるとき陥凹内へと延在するように位置付けされたハウジング係合表面を含み、ハウジング係合表面は係合表面から延在することができる。同様に、係合表面およびハウジング係合表面は、カバーが閉鎖位置にあるときキャップおよびハウジングの相対的回転を阻止することができる。ラッチは、同様に、ハウジングとの関係において回転しないように固定されたベースを含むことができ、このカバーはベースに枢動可能な形で連結されている。さらに、ラッチは、ベース上またはカバー上の突出部との係合のためカバー上またはベース上に画定された陥凹を含むことができ、陥凹および突出部は、カバーが閉鎖位置にあるときハウジングとの関係におけるカバーの回転に抵抗するように位置付けされており、陥凹はカバー上に画定され得、突出部はベース上にあり得る。
【００１３】
本考案は、添付図面と関連付けて以下の詳細な説明を読むことにより最も良く理解されるものである。一般的慣行にしたがい図面のさまざまな特徴部は原寸に比例していないというが強調される。反対に、さまざまな特徴部の寸法は、明確さのため任意に拡大または縮小されている場合がある。図面中に含まれているのは以下の図である。
【図面の簡単な説明】
【００１４】
【図１】本考案の態様に係るフレームとの関係においてパネルを固定するように構成された例示的ラッチを示す。
【図２Ａ】開放位置にあるカバーを有する図１のラッチを示す。
【図２Ｂ】閉鎖位置にあるカバーを有する図１のラッチを示す。
【図３Ａ】図１のラッチの展開図を示す。
【図３Ｂ】図１のラッチの側面図を示す。
【図４Ａ−４Ｅ】図１のラッチの例示的ハウジングを示す。
【図５Ａ−５Ｅ】図１のラッチの例示的キャップを示す。
【図６Ａ−６Ｂ】図１のラッチの例示的カムおよび例示的スリーブをそれぞれ示す。
【図７Ａ−７Ｃ】図２Ａおよび図２Ｂのラッチの例示的カバーを示す。
【図８Ａ−８Ｂ】図２Ａおよび図２Ｂのラッチの例示的ヒンジを示す。
【図９Ａ−９Ｃ】パネルおよびフレームを伴う図１のラッチの例示的開放動作を示す。
【図１０Ａ−１０Ｃ】ラッチが非ラッチ位置にある場合の図２Ａおよび図２Ｂのラッチのカバーの例示的閉鎖動作を示す。
【図１１Ａ−１１Ｃ】ラッチがラッチ位置にある場合の図２Ａおよび図２Ｂのラッチのカバーの例示的閉鎖動作を示す。
【図１２】図２Ａおよび図２Ｂのラッチのカバーの例示的開放動作を示す。
【図１３】本考案の態様に係るフレームとの関係においてパネルを固定するように構成され、開放位置にあるカバーを有する別の例示的ラッチを示す。
【図１４】本考案の態様に係るフレームとの関係においてパネルを固定するように構成された別の例示的ラッチを示す。
【考案を実施するための形態】
【００１５】
本考案は、本明細書中で、特定の実施形態に関連して例示され説明されているものの、本考案は示された詳細に限定されるよう意図されたものではない。むしろ、本考案から逸脱することなく、クレームの等価物の領域および範囲内で、これらの詳細に対してさまざまな修正を加えることが可能である。
【００１６】
本明細書中に記載の例示的ラッチは、保管コンパートメント用の従来のラッチに比べて低い断面形状を有し、このためかかる保管コンパートメント内へのラッチの突出度を削減し、利用可能な保管空間に対するラッチの影響を減少させるかまたは除去することができる。これらの実施形態は概して、ラッチキャップおよびシャフトを包含し、これらが回転可能な形でおよび／または軸方向に移動してコンパートメントを開閉する。
【００１７】
本明細書中に記載の例示的ラッチは、同様に、ラッチがラッチ状態にあるかまたは非ラッチ状態にあるかに関する明確な標示を提供する能力も有することができる。これらのラッチは、標示を提供すると共にラッチの外部環境内に存在する水分または汚れからラッチの内部特徴部を保護するために機能するカバーを利用し得る。この標示は、ラッチが完全にラッチされるかまたはラッチ解除される前にラッチキーが偶発的または非意図的に取外されるのを防止するために役立つことができる。
【００１８】
以下で明記する実施例においては、ラッチカバーは、ラッチがラッチ位置になるまで完全に閉鎖され得ない。カバーの閉鎖を防止することは、コンパートメントをロックすることのリマインダとして役立つことができ、ラッチの秩序立った開閉シーケンスを促進し得る。ラッチ解除シーケンス中、ラッチのキャップは、ラッチカバー上の係合構造との整列から外れて回転する。その結果として、非ラッチ位置にあるとき、カバーを閉鎖することは不可能である。シーケンスは、ラッチ動作においては逆転され、キャップがラッチ位置に戻った時点で初めて、カバーの閉鎖が可能となる。
【００１９】
本明細書中では、特定のラッチ実施形態が説明されているが、開示されている実施形態の構成要素は、本明細書中に記載の利点を達成するために当業者にとって公知の任意の従来のラッチの中に組込むことができる。例えば、開示されている実施形態の構成要素は、各々の内容全体が参照により本明細書に組込まれているＰＣＴ国際出願第ＰＣＴ／ＵＳ２０１６／０４１８７３号および／または米国特許出願第６２／４１３，０８０号中に記載のラッチ内に組込むことができる。同様にして、開示されたラッチは、コンパートメントの中味の安全性を保証することが望ましい任意のタイプの保管コンパートメントを含めた、あらゆる構造上で使用可能であり得る。ラッチは好ましくは、フレームに組付けられたパネルと共に使用するための圧縮ラッチである。このような圧縮ラッチは、パネルがフレームとの関係においてラッチされていない開放位置から、パネルがフレームとの関係においてラッチされているラッチ位置まで、そしてパネルがフレームに対して引張られこれらが互いに圧迫し合うロック位置まで移動するように構成されている。
【００２０】
ここで図面を参照すると、図１〜図８Ｂは、本考案の態様に係る例示的ラッチ１００を例示している。ラッチ１００は、図９Ａ〜図９Ｃに示されているように、フレーム２０との関係においてパネル１０を固定するように構成されている。全体的概観として、ラッチ１００は、ハウジング１１０、キャップ１２０、シャフト１３０、バネ１４０、スリーブ１５０、カム１６０、ピン１７０、ツメ１８０およびカバー２００を含む。ラッチの付加的な細部について以下で説明する。
【００２１】
ハウジング１１０は、ラッチ１００の構成要素を収納する。ハウジング１１０は、パネル１０に対する係合のために構成されている。例示的実施形態において、ハウジング１１０は、図４Ａ〜図４Ｅに示されている通り、本体部分１１２およびこの本体部分１１２の外部表面の周りで円周方向に延在するフランジ付き部分１１４を有する。本体部分１１２は、パネル１０内の貫通孔内部に嵌合するようにサイズ決定されている。フランジ付き部分１１４は、ハウジング１１０の本体部分１１２が貫通孔内部に収容された時点でパネル１０の内部表面または外部表面と接触するようにサイズ決定されている。
【００２２】
好ましい実施形態において、ハウジング１１０は、ナット１０２を用いてパネル１０と係合する。ナット１０２は本体部分１１２の外部表面上に形成されたネジ切り上に螺合するよう適応されており、こうしてパネル１０は、フランジ付き部分１１４とナット１０２の間に挟持されることになる。パネル１０とナット１０２の間には、パネルに対するラッチ１００の適切な固定を創出するために座金１０４を追加することができる。さらに、水分またはほこりなどの外部要素に対してコンパートメント内部の安全性を保証するため、ハウジング１１０のフランジ付き部分１１４とパネル１０の間にガスケット（図示せず）を追加することができる。パネル１０に対しラッチ１００を固定するためにコンパートメントの内部でナットを使用することにより、望ましいことに、パネル１０からのラッチ１００の無許可の除去が防止される。
【００２３】
代替的にまたは付加的に、ハウジング１１０は、例えばパネル１０の貫通孔の内部での本体部分１１２の摩擦嵌めまたはネジ嵌合、またはパネル１０の表面に対するフランジ付き部分１１４の接着などを含めた任意の他の手段によってパネル１０と係合してよい。例えば、ブラケット組付け用構成において可能であるように、ネジなどの締結具を使用することができる。さらには、ハウジング１１０の一部分または全てをパネル１０と一体型のまたは単体の部品として形成してもよい。
【００２４】
ハウジング１１０の本体部分１１２は長手方向軸に沿って延在する。長手方向軸は概してパネル１０の平面に直交する方向に延在する。それでもなお、本明細書中の説明から、長手方向軸はパネル１０との関係において斜角で延在することができ、長手方向軸の方向は、限定されるよう意図されていないということが理解される。ハウジング１１０の本体部分１１２はさらに、長手方向軸に沿って延在するアパーチャ１１６を内部に画定する。アパーチャ１１６は、以下で説明するように、ラッチ１００の構成要素を収容するようにサイズ決定されている。
【００２５】
ハウジング１１０は、図４Ａ〜図４Ｅで示されているように、少なくとも１つのインジケータ１１８を含み得る。インジケータ１１８は、ユーザに対して、ラッチのキー付き構成要素の出発または終了点の回転的場所を標示するために提供され得る。例示的実施形態において、インジケータ１１８は、キャップ１２０上の対応するインジケータと整列した時点でキャップ１２０がラッチ位置（または安全性保証位置またはロック位置）にあることをユーザに標示する切り込みである。ラッチは、パネルがフレームとの関係においてラッチされていない非ラッチ位置から、パネルがフレームとの関係においてラッチされているラッチ位置まで移動可能である。ラッチ位置において、パネルはフレームに対してさらに引張られ、こうしてこれらは互いに圧迫し合うことになる。
【００２６】
キャップ１２０は、少なくとも部分的にハウジング１１０のアパーチャ１１６の内部に組付けられる。キャップ１２０は、ハウジング１１０に固定されておらず、したがって長手方向軸の周りでハウジング１１０との関係において回転することができる。図５Ａ〜図５Ｅに示されているように、キャップ１２０は、ハウジング１１０内部のキャップ１２０の遮るものの無い回転を可能にするため、円形の形状を有していてよい。
【００２７】
キャップ１２０は、ハウジング１１０との関係において軸方向移動しないよう妨げられていてよい。例示的実施形態において、キャップ１２０は、キャップ１２０の外部表面を取り囲みハウジング１１０の内部円周方向表面に沿って形成された対応する溝の中に係合するリテーナ１１９を含む。好ましい実施形態において、ハウジング１１０とキャップ１２０の間には、水分またはほこりなどの外部要素に対して本体部分１１２の内部の安全性を保証する目的で、Ｏリングなどのガスケット１２１が追加され得る。キャップ１２０および／またはハウジング１１０は、キャップ１２０とハウジング１１０の間にガスケット１２１を収容するための環状溝または表面を含み得る。
【００２８】
キャップ１２０は、図５Ａ〜図５Ｅ中に示されているように、少なくとも１つの駆動表面１２２を含む。駆動表面１２２は、キャップ１２０がハウジング１１０内部に組付けられた場合およびキャップ１２０が覆われていない場合に、ユーザが例えばキーを用いて、ラッチ位置と非ラッチ位置の間でハウジング１１０との関係においてキャップ１２０を駆動するかまたは回転させることができるようにする目的で、ラッチ１００の頂部からアクセス可能である。駆動表面１２２は、キー（図示せず）の形状に対応する形状で形成されてよい。この形状では、キャップ１２０は、駆動表面１２２と係合するための対応するキー無しでハウジング１１０との関係において容易に回転させられることができない。
【００２９】
一例示的実施形態において、キャップ１２０は、長手方向軸に沿ってキャップ１２０の上部表面から延在する駆動スタッド１２６を含む。駆動スタッド１２６は、キャップ１２０を回転させるための駆動表面１２２を形成し得る。代替的なまたは付加的な例示的実施形態において、キャップ１２０は、長手方向軸に沿ってキャップ１２０の上部表面内に延在する駆動開口部を含む。この駆動開口部も同様に、キャップ１２０を回転させるための駆動表面１２２を形成し得る。
【００３０】
キャップ１２０はさらに、少なくとも１つの陥凹１２４を含むことができる。陥凹１２４は、以下にさらに詳細に論述するように、カバー２００の閉鎖を可能にするために具備されている。陥凹１２４は同様に、ハウジング１１０との関係におけるキャップ１２０の回転的位置をユーザに標示するためにも具備され得る。例示的実施形態において、陥凹１２４は、キャップ１２０がラッチ位置（安全性保証位置）にあるときそれをユーザに標示するためにハウジング１１０上の対応するインジケータ１１８と整列するように位置付けされている。
【００３１】
キャップ１２０の駆動表面１２２が駆動スタッド１２６によって形成されている実施形態においては、陥凹１２４は、駆動スタッド１２６の上部表面または壁内に画定され得る。代替的にまたは付加的に、キャップ１２の駆動表面１２２が駆動開口部によって形成されている実施形態において、陥凹１２４は、駆動開口部の上部表面または壁内に画定され得る。
【００３２】
シャフト１３０は、少なくとも部分的に、ハウジング１１０のアパーチャ１１６の内部に組付けられる。シャフト１３０は、ハウジング１１０の長手方向軸に沿って延在する。シャフト１３０は、ハウジング１１０およびキャップ１２０との関係において長手方向軸を中心に回転できるように組付けられている。シャフト１３０は、ハウジング１１０内部でのシャフト１３０の遮るものの無い回転を可能にするため円形形状を有することができる。
【００３３】
シャフト１３０は、ハウジング１１０およびキャップ１２０との関係において軸方向に移動可能であるように組付けられる。例示的実施形態において、シャフト１３０は、キャップ１２０との関係におけるシャフト１３０の軸方向移動の方向を画定するキャップ１２０との摺動係合を有する。
【００３４】
例示的実施形態において、シャフト１３０は貫通孔１３４を含む。貫通孔は、シャフト１３０の本体を通って半径方向に延在する。貫通孔１３４は、以下でさらに詳述するように、シャフト１３０内を通るピン１７０を収容するように整形されている。
【００３５】
シャフト１３０はさらに、その下端部にネジ切り１３６を含み得る。ネジ切り１３６は、以下でさらに詳述されるように、ツメ１８０を固定するためのナットを収容するようにサイズ決定されている。
【００３６】
バネ１４０は、シャフトを長手方向軸に沿ってキャップ１２０から離れる方向に偏倚させるように構成されている。例示的実施形態において、バネ１４０は、圧縮バネである。バネは、圧縮バネ、波形バネ、皿バネ、エラストマバネおよび／または円錐バネなどの１つまたは多数の要素を含むことができる。例示的実施形態において、バネ１４０は、ラッチ１００の全高を削減またはさらに削減するために、キャップ１２０の下部表面からシャフト１３０の頂部の陥凹内部に画定された表面まで延在する。
【００３７】
スリーブ１５０は、ハウジング１１０とシャフト１３０の間に挿入されてアパーチャ１１６の内部に位置付けされている。こうしてスリーブ１５０は、シャフト１３０が中に位置付けされるアパーチャを画定する。
【００３８】
スリーブ１５０は、ハウジング１１０との関係におけるスリーブ１５０の回転を防止するような形で、ハウジング１１０の内部に組付けられる。例示的実施形態においては、図６Ａ中に示されているように、スリーブ１５０は、ハウジング１１０内のキーイング特徴部１１９と噛合するように位置付けされた１つ以上のキーイング特徴部１５２を含んでいる。キーイング特徴部１５２および１１９は、戻り止め、突起、陥凹または本明細書中の記述から当業者にとっては公知である他の任意の回転防止構造であってよい。代替的には、スリーブ１５０の全てまたは一部分をハウジング１１０と一体としてまたは単体の部品として形成してもよい。
【００３９】
スリーブ１５０は、一対のスロット１５４を画定する。スロット１５４は、内部にピン１７０を収容するように、そして各スロット１５４に沿ったピン１７０の軸方向移動および／または回転移動を可能にするようにサイズ決定される。例示的実施形態において、各スロット１５４はＬ字形を有し、第１の部分１５４Ａは、ハウジング１１０の長手方向または軸方向に延在し、第２の部分１５４Ｂはハウジング１１０の円周方向に延在している。各スロット１５４の第１および第２の部分１５４Ａ、１５４Ｂは、以下でより詳細に説明されるように、ラッチ１００の開放または閉鎖動作中、ハウジング１１０内部でのシャフト１３０の移動を誘導する。
【００４０】
カム１６０は、スリーブ１５０とシャフト１３０の間に挿入されてスリーブ１５０の内部に位置付けされる。カム１６０は、長手方向軸を中心として回転可能な相対的スリーブ１５０となるようにスリーブ１５０の内部に組付けられる。詳細には、カム１６０は、キャップ１２０と共に回転可能になるように組付けされる。例示的実施形態においては、図６Ｂ中に示されているように、カム１６０は、キャップ１２０の下部表面内のキーイング特徴部１２８と噛合するように位置付けされた１つ以上のキーイング特徴部１６２を含んでいる。キーイング特徴部１６２および１２８は、戻り止め、突起、陥凹または本明細書中の記述から当業者にとっては公知である他の任意の回転防止構造であってよい。
【００４１】
カム１６０は、一対のスロット１６４を画定する。スロット１６４は、内部にピン１７０を収容するように、そして各スロット１６４に沿ったピン１７０の軸方向移動および／または円周方向移動を可能にするようにサイズ決定される。例示的実施形態において、各スロット１６４はキャップ１２０に近い第１の位置とキャップ１２０から離れる方向で第１の位置から軸方向に離隔された第２の位置の間で外部円周方向表面の周りに螺旋状に湾曲している。スロット１５４と共にスロット１６４は、以下でより詳細に説明されるように、ラッチ１００の開放または閉鎖動作中、ハウジング１１０内部でのシャフト１３０の移動を誘導する。
【００４２】
カム１６０は、スリーブ１５０の内部に位置付けされているものとして描かれているものの、本考案はそのように限定されるものではない、ということが理解される。代替的には、本考案の範囲から逸脱することなく、カム１６０をスリーブ１５０の外部に位置することができると考えられ、こうしてスリーブ１５０は、カム１６０とシャフト１３０の間に挿入されることになる。
【００４３】
さらに、カム１６０は、キャップ１２０とは別個の構成要素として描かれているものの、本考案はそのように限定されるものではない、ということが理解される。代替的には、カム１６０の全部または一部分をキャップ１２０と一体としてまたは単体の部品として形成することができると考えられる。このような構造は、ラッチ１００の全体的突出部Ｐをさらに最小限に抑えるために望まれる可能性がある。
【００４４】
ピン１７０は、ハウジング１１０の長手方向または軸方向との関係においてシャフト１３０から半径方向外向きに延在する。ピン１７０は、シャフト１３０内に形成されたアパーチャの内部に捕捉され、スロット１５４および１６４により収容される。その結果、シャフト１３０は、スロット１５４および１６４とピン１７０との係合によって画定される経路の内部での回転的移動または軸方向移動に限定されることになる。
【００４５】
例示的実施形態において、ピン１７０は、シャフト１３０の貫通孔１３４を通って直径方向に延在する円筒形柱部材である。ポストは、シャフト１３０のいずれかの側で直径方向に相対する突起を形成するのに充分な長さを有する。この実施形態において、スリーブ１５０およびカム１６０は各々、そのいずれの側にも、直径方向に相対する一対のスロット１５４および１６４を含んでいてよい。したがって、本明細書中ではラッチ１００の動作は単一のスロット１５４、１６４およびピン１７０に関して説明されているが、当業者であれば、本考案の範囲から逸脱することなく、１つ、２つまたはそれ以上のそれぞれのスロットおよびピンを使用することができるということを理解するものである。
【００４６】
ツメ１８０は、キャップ１２０と共に回転するようにキャップ１２０に対して間接的に結合される。例示的実施形態において、ツメ１８０は、ツメ１８０のいずれかの側または両側においてネジ切り１３６と係合される１つ以上のナットを介して、シャフト１３０の下端部に固定的に結合される。代替的には、シャフト１３０上の内部ネジ切りと係合するネジを介して、シャフト１３０の下端部にツメ１８０を固定的に結合してもよい。ナットとツメ１８０の間には、シャフト１３０に対するツメ１８０の適切な固定を創出するために座金１８４を追加することができる。
【００４７】
ツメ１８０は、キャップ１２０の回転中、ラッチ位置と非ラッチ位置の間で回転可能である。ツメ１８０は、キャップ１２０の回転中、シャフトの回転および軸方向移動によって、ラッチ位置と非ラッチ位置の間で移動させられる。
【００４８】
カバー２００はハウジング１１０に結合される。カバー２００は、図２Ａに示されている開放位置と図２Ｂに示されている閉鎖位置の間で横方向軸を中心として枢動するように構成されている。図２Ａで示されているように、開放位置において、カバー２００はキャップ１２０を覆っておらず、ラッチまたはラッチ解除動作を行なうためにキャップ１２０にアクセスできるようにしている。図２Ｂに示されているように、閉鎖位置において、カバー２００はキャップ１２０を覆っており、キャップ１２０に対するアクセスを妨げている。カバー２００は、以下でより詳細に説明するように、キャップ１２０がラッチ位置にあるとき閉鎖位置へのカバー２００の枢動を可能にするため、キャップ１２０のそれぞれの部分と整列する横方向軸から離隔した係合表面を含む。
【００４９】
例示的実施形態において、カバー２００は、ベース２１０、蓋２２０およびヒンジ２３０を含む。ベース２１０は、ハウジング１１０に対し剛結合されるように構成されている。図２Ａおよび図２Ｂに示されているように、ベース２１０をフランジ付き部分１１４の下方でハウジング１１０に対し結合することができる。ベース２１０は、ベース部分２１２および、ハウジング１１０の半径方向にベース２１０から半径方向外向きに延在する延長部分２１４を含む。図７Ａ〜図７Ｃに示されているように、延長部分２１４は、蓋２２０が周囲を枢動する横方向軸２１６を画定する。
【００５０】
本明細書中では、ベース２１０は、ハウジング１１０とは別個の構成要素として描かれているものの、本考案はそのように限定されるものではないことが理解される。他の実施形態において、ベース２１０は、ハウジング１１０と一体として形成され得ると考えられ、かつ／またはベース２１０の構成要素はハウジング１１０の外部表面上に具備され得る。
【００５１】
ベース２１０は、同様に、カバー２００が閉鎖位置にある場合、蓋２２０と噛合しかつ／または蓋２２０を所定の場所に保持するように設計された構造を含むこともできる。例示的実施形態において、ベース２１０はベース部分２１２から外向きに延在する戻り止め２１５を含む。戻り止め２１５は、図２Ａに示されているように、延長部分２１４の反対側でベース部分２１２の一部分において、ベース部分２１２から外向きに突出していてよい。ベース２１０の一部として形成されることに加えて、またはそれと代替的に、戻り止め２１５はハウジング１１０の内部に一体として形成されてよく、またはハウジング１１０およびベース２１０の両方からの構造によって提供されてよい。
【００５２】
蓋２２０は、ベース２１０に結合されている。蓋２２０は、横方向軸２１６を中心としてベース２１０との関係において枢動するように結合される。蓋２２０は開放位置と、蓋２２０がキャップ１２０を覆う閉鎖位置との間で枢動することができる。図７Ａおよび図７Ｃに示されているように、蓋２２０は、カバー２００が閉鎖位置にあるときキャップ１２０から離れる方向に面する上部表面２２２およびカバー２００が閉鎖位置にあるときキャップ１２０に面する下部表面２２４を有する。
【００５３】
戻り止め２１５が具備されている場合、蓋２２０は陥凹２２５を含み得る。陥凹２２５は、カバー２００が閉鎖位置にある場合に戻り止め２１５と整列するように位置付けされている。図２Ａに示されているように、陥凹２２５は、蓋２２０の外端部に具備されている。戻り止め２１５および陥凹２２５を伴ってカバー２００を形成することは、カバー２００が閉鎖位置にある場合にはベース２１０との関係における蓋２２０の整列を維持するために、そしてカバー２００が閉鎖位置にある場合にはカバー２００を側方の衝撃から保護するために有用であり得る。
【００５４】
蓋２２０の下部表面２２４上には、係合表面２２６が具備されている。係合表面２２６は、キャップ１２０とより良く整列するように、ベース２１０の横方向軸２１６から離隔されていてよい。係合表面２２６は、キャップ１２０がラッチ位置になるように回転させられた時点でキャップ１２０と整列して、カバー２００の閉鎖を可能にする。係合表面２２６は、キャップ１２０とより良く整列するように、ベース２１０の横方向軸２１６から離隔されていてよい。例示的実施形態において、係合表面２２６は、下部表面２２４からキャップ１２０に向かって延在する突出部により画定されている。
【００５５】
蓋２２０の下部表面２２４上には、パッド２２８がさらに具備されていてよい。パッド２２８は、ラッチ１００の外部環境内に存在する水分または汚れからラッチ１００の内部特徴部（例えばキャップ１２０、シャフト１３０など）を保護するための環境シールを創出するために具備され得る。パッド２２８は同様に、蓋２２０が開放位置にあるときユーザがそれを容易に分かるようにするための１つ以上の視覚的インジケータを含むこともできる。このような視覚的インジケータとしては、例えば、明るい色、反射表面、または他の類似の要素が含まれ得る。パッド２２８を形成するための好適な材料は、当業者にとっては本明細書中の説明から公知のものである。
【００５６】
ヒンジ２３０が、ベース２１０に蓋２２０を結合する。ヒンジ２３０は、横方向軸２１６に沿って具備される。一実施形態において、ヒンジ２３０は、ベース２１０との関係における蓋２２０の偏倚の無い枢動を可能にする単純なピンヒンジであってよい。しかしながら、他の実施形態においては、ヒンジ２３０は、ベース２１０との関係における蓋２２０の位置に応じて蓋２２０に対し一方向または双方向の偏倚を提供してよい。例えば、任意には、ヒンジ２３０の既定の方向への一方向偏倚を提供するために捩りバネを使用することができる。
【００５７】
双方向偏倚の例示的実施形態において、ヒンジ２３０は、第１のカム２３２および第２のカム２３４を含む。カム２３２は、蓋２２０との関係において回転しないように固定され、カム２３４はベース２１０との関係において回転しないように固定されている。換言すると、カム２３２は蓋２２０により回転的に固定され、カム２３４は、ベース２１０により回転的に固定されている。図８Ａおよび図８Ｂに示されているように、カム２３４は、ベース２１０によりカム２３４を回転的に固定できるようにするキーイング特徴部２３６を含むことができる。
【００５８】
カム２３２および２３４は、バネ２３８により互いに接触するように偏倚される。特定の実施形態において、バネ２３８はコイルバネである。図８Ａおよび図８Ｂに示されているように、ヒンジ２３０は、カム２３２の後部表面からカム２３２および２３４を通って、カム２３４の後部表面を超えて延在するピン２４０を含む。ピン２４０は、一端部で座金２４２に結合するように構成されている。コイルバネ２３８は、カム２３２および２３４を互いに接触するように偏倚させるため、カム２３４の後部表面と座金２４２の間で圧縮されるように位置付けされている。組立て後、図７Ａ〜図７Ｃに示されているように、別個のピン２４４により座金２４２をピン２４０に結合させることができる。
【００５９】
バネ２３８はカム２３４の後部表面を押圧している状態で示されているものの、この配向は限定的なものとして意図されていないことが理解される。他の実施形態では、代りに、バネ２３８はカム２３４に対しカム２３２を押圧することができ、これにより本考案の範囲から逸脱することはない。さらに、バネ２３８はコイルバネとして示されているものの、当業者にとっては、本明細書中の説明から、バネ２３８として使用するのに好適である他のバネが公知である。
【００６０】
以上で明記されているように、ヒンジ２３０は、ベース２１０との関係における蓋２２０の位置に応じて蓋２２０に双方向偏倚を提供することができる。１つのこのような実施形態において、カム２３２は、第１および第２のカム表面２３３ａおよび２３３ｂを含み、カム２３４は第１および第２のカム表面２３５ａおよび２３５ｂを含む。バネ２３８により生成されるカム表面２３３ａおよび２３５ａの間の接触は、閉鎖位置に向かう方向に回転するように蓋２２０を偏倚させることができ、バネ２３８により生成されるカム表面２３３ｂおよび２３５ｂの間の接触は、開放位置に向かう方向に回転するように蓋２２０を偏倚させることができる。
【００６１】
ラッチ１００の例示的動作について、図９Ａ〜図９Ｃに関連して以下で説明する。図９Ａは、閉鎖位置にあるラッチ１００を示す。図９Ａに示されているように、ツメ１８０は、ラッチ位置でフレーム２０と係合するように回転させられている。この段階で、ラッチ１００を開放するために、ユーザはキャップ１２０とキー（図示せず）を係合させ、回転を開始する。回転するキャップ１２０は、例えばキーイング特徴部１６２および１２８に起因してカム１６０の対応する回転をひき起こす。カム１６０が回転するにつれて、カム１６０の螺旋状のスロット１６４は、軸方向および円周方向でピン１７０に対して力を加える。Ｌ字形スロット１５４の第１の部分は、軸方向でのピン１７０の移動を可能にし、円筒方向でのピン１７０の移動を防ぐ。結果として、閉鎖位置からのキャップ１２０およびカム１６０の回転は、ピン１７０そしてそれに対応してシャフト１３０を、（バネ１４０による偏倚の下で）キャップ１２０から離れる軸方向にのみ移動させる。シャフト１３０のこの軸方向移動は、ツメ１８０を軸方向下向きに、かつフレーム２０から離れるように移動させる。ピン１７０の軸方向移動は、ピン１７０がＬ字形スロット１５４の第２の部分に達するまで続行する。
【００６２】
図９Ｂは、ピン１７０がＬ字形スロット１５４の第２の部分に到達した後の、開放位置と閉鎖位置の間の位置にあるラッチ１００を示している。カム１６０が回転し続けるにつれて、カム１６０の螺旋状スロット１６４はピン１７０に対して、軸方向および円周方向で力を加え続ける。Ｌ字形スロット１５４の第２の部分は、軸方向でのピン１７０のさらなる移動を防止するが、円周方向でのピン１７０の移動は可能にする。その結果、キャップ１２０およびカム１６０の続行された回転により、ピン１７０そしてそれに対応してシャフト１３０も、回転方向または円周方向でのみ移動させられる。シャフト１３０のこの回転移動は、ツメ１８０をフレーム２０から離れるように回転移動させる。図９Ｂに示されているように、ツメ１８０は、開放位置に向かってフレーム２０から離れる方向に回転し始めている。
【００６３】
図９Ｃは、ピン１７０がＬ字形スロット１５４の第２の部分の端部に到達した後の、開放位置にあるラッチ１００を示す。キャップ１２０およびカム１６０の回転は、ピン１７０がスロット１５４の端部に達するまで続行され得、シャフト１３０のピン１７０の回転移動はそれ以上不可能である。図９Ｃに示されているように、ツメ１８０は完全に回転させられており、フレーム２０と係合できない。完全な開放位置と閉鎖位置の間の回転距離は、任意の所望される距離であってよい、ということが理解される。
【００６４】
図９Ａ〜図９Ｃ中（および本明細書の他の箇所）にある例示的実施形態は、閉鎖位置から開放位置までのキャップの反時計回り方向の回転を示すものの、代替的には、本明細書中に記載の動作をキャップの時計回り方向の回転により行なうことができるということが理解される。
【００６５】
ラッチ１００のカバー２００の例示的な閉鎖動作について以下で、図１０Ａ〜図１０Ｃに関連して説明する。図１０Ａ〜図１０Ｃの閉鎖動作において、キャップ１２０は、非ラッチ位置にあり、例えば、ツメ１８０が完全にフレーム２０と係合していない位置まで回転させられる。カバー２００は、図１０Ａにおいて、開放位置で示されている。
【００６６】
キャップ１２０が非ラッチ位置にある場合、キャップ１２０の駆動表面１２２はカバー２００の係合表面２２６の枢動移動と整列しており、これによりカバー２００が閉鎖位置まで枢動するのを妨害するように位置付けされる。図１０Ｂに示されているように、駆動スタッド１２６内の陥凹１２４は、蓋２２０の下側で係合表面２２６を画定する突出部と整列しておらず、これにより、駆動スタッド１２６は、蓋２２０が閉鎖位置まで枢動するのを妨害するように位置付けされる。
【００６７】
以上で明記したように、ヒンジ２３０は双方向偏倚を提供し得る。例示的実施形態において、カム表面２３３ａおよび２３５ａは、係合表面２２６を画定する突出部がキャップ１２０の陥凹１２４に入る時点まで互いに接触しており、この時点で、カム表面２３３ｂおよび２３５ｂが互いに接触し合う。したがって、突出部がキャップ１２０の陥凹内に入る位置までカバー２００が枢動するのを妨害されているかぎり、ヒンジ２３０のカム２３２および２３４は、図１０Ｃに矢印によって示されているように、カバー２００の開放位置に向かって移動するように蓋２２０を偏倚させる。
【００６８】
ラッチ１００のカバー２００の別の例示的な閉鎖動作について以下で、図１１Ａ〜図１１Ｃに関連して説明する。図１１Ａ〜図１１Ｃの閉鎖動作において、キャップ１２０は、ラッチ位置にあり、例えば、ツメ１８０が完全にフレーム２０と係合する位置まで回転させられる。カバー２００は、図１１Ａにおいて、開放位置で示されている。
【００６９】
キャップ１２０がラッチ位置にある場合、キャップ１２０の駆動表面１２２はカバー２００の係合表面２２６の枢動移動と整列しておらず、これによりカバー２００が図１１Ｃに示された閉鎖位置まで枢動することを可能にするように位置付けされる。図１１Ｂに示されているように、駆動スタッド１２６内の陥凹１２４は、蓋２２０の下側で係合表面２２６を画定する突出部と整列しており、これにより、駆動スタッド１２６は、蓋２２０が閉鎖位置まで枢動することを可能するように位置付けされる。
【００７０】
以上で説明したように、カム表面２３３ａおよび２３５ａは、係合表面２２６を画定する突出部がキャップ１２０の陥凹１２４に入る時点まで互いに接触していてよく、この時点で、カム表面２３３ｂおよび２３５ｂが互いに接触し合う。したがって、突出部がキャップ１２０の陥凹内に入る位置までカバー２００が枢動させられるや否や、ヒンジ２３０のカム２３２および２３４は、図１１Ｃに矢印によって示されているように、閉鎖位置に向かって移動するように蓋２２０を偏倚させる。蓋２２０を閉鎖位置に向かって移動するように偏倚させることにより、カム２３２および２３４は、外部環境内の水分およびほこりに対抗してラッチ１００の内部構成要素の環境シールを創出するのを補助することができる。
【００７１】
ヒンジ２３０により提供される双方向偏倚は、蓋２２０の開放位置と閉鎖位置の間に提供されることに限定され得ない。図１２で矢印により示されているように、蓋２２０を、カバー２００の開放位置を超えた位置まで枢動させることができる。例示的実施形態において、閉鎖位置から開放位置までのカバー２００の枢動中、カム表面２３３ａおよび２３５ａは、蓋２２０が開放位置に到達する時点まで互いに接触しており、この時点でカム表面２３３ｂおよび２３５ｂが互いに接触し合う。したがって、ひとたび蓋２２０がカバー２００の開放位置を超えた位置まで枢動させられたならば、ヒンジ２３０のカム２３２および２３４は、図１２に矢印で示されているように、カバー２００の開放位置に向かって移動して戻るように、蓋２２０を偏倚させる。
【００７２】
図１３は、本考案の態様に係る別の例示的ラッチ３００を示す。ラッチ３００は、以下で明示的に記されているのでないかぎり、ラッチ１００と実質的に同じ構成要素を含み得る。
【００７３】
図１３に示されているように、ラッチ３００は、パネル内に収容されるハウジング３１０を含む。キャップ３２０が、ハウジング３１０内のアパーチャの内部に回転可能な形で組付けられている。ハウジング３１０にはカバー３３０が結合されている。カバー３３０は、図１３に示されている開放位置と閉鎖位置との間で横方向軸を中心にして枢動するように構成されている。開放位置において、カバー３３０はキャップ３２０を覆っておらず、ラッチ３００のラッチ動作またはラッチ解除動作を行なうためキャップ３２０へのアクセスを可能にする。
【００７４】
キャップ３２０の駆動表面内には陥凹３２２が具備され、蓋３３２の下部表面上には係合表面３３４が具備されている。図１３に示されているように、係合表面３３４は蓋３３２の下部表面からキャップ３２０に向かって延在する突出部によって画定される。キャップ３２０が非ラッチ位置にある場合、陥凹３２２は係合表面３３４と整列しておらず、これにより、キャップ３２０の駆動表面は蓋３３２が閉鎖位置まで枢動するのを妨害するように位置付けされる。キャップ３２０がラッチ位置にある場合、陥凹３２２は係合表面３３４と整列し、キャップ３２０の駆動表面は、蓋３３２が閉鎖位置まで枢動することを可能にするように位置付けされる。
【００７５】
キャップ３２０との係合に加えて、カバー３３０は同様にハウジング３１０と係合することもできる。陥凹３１２が、ハウジング３１０内に具備される。図１３に示されているように、陥凹３１２はハウジング３１０の上部表面から延在することができる。同様にして、蓋３３２の下部表面上には、係合表面３３６が具備されている。図１３に示されているように、係合表面３３４は、蓋３３２の下部表面からキャップ３２０に向かって延在する突出部によって画定される。係合表面３３６を画定する突出部は、係合表面３３４を画定する突出部と連続していてもよいし、あるいはこの突出部と別個のものであってもよい。同様にして、係合表面３３６を画定する突出部は、係合表面３３４を画定する突出部と同じかまたは異なる高さを有していてよい。陥凹３１２は係合表面３３６と整列し、係合表面３３６を画定する突出部は、蓋が閉鎖位置まで枢動させられた場合に陥凹３１２と係合する。
【００７６】
多数の係合表面３３４および３３６を具備することは、キャップ３２０が非ラッチ位置にある場合カバー３３０の閉鎖を防止すること、ならびにカバー３３０が閉鎖位置にある場合にキャップ３２０またはハウジング３１０との関係におけるカバー３３０の回転を防止することを含めた、多数の目的を達成するために有用であり得る。
【００７７】
図１４は、本考案の態様に係るフレームとの関係においてパネルを固定するように構成された別の例示的ラッチを示す。図１４中で例示されている実施形態は、駆動スタッド内の陥凹がヒンジと反対側の場所に位置付けされているという点を除いて、図１１Ｂに例示されている実施形態と類似のものである。換言すると、この実施形態において、蓋４２０の下側の係合表面４２６は、ヒンジからより長い距離だけ離れたところに位置付けされており、駆動スタッド４２６内の陥凹４２４は、図１１Ｂ中の陥凹に比べた場合に駆動スタッド４２６の反対側に位置設定されている。図１４に示されているように、駆動スタッド４２６内の陥凹４２４は、蓋４２０の下側で係合表面４２６を画定する突出部と整列し、これにより、駆動スタッド４２６は蓋４２０が閉鎖位置まで枢動することを可能にするように位置付けされる。
【００７８】
本考案の好ましい実施形態が本明細書中で示され説明されてきたが、このような実施形態は単に一例として提供されているにすぎないということが理解される。当業者であれば本考案の精神から逸脱することなく、多くの変形形態、変更および置換を着想するものである。したがって、添付のクレームは本考案の精神および範囲内に入るものとしてこのような変形形態の全てを網羅するように意図されている。
【図１】
0003224000.tif 000003
【図２Ａ】
0003224000.tif 000004
【図２Ｂ】
0003224000.tif 000005
【図３Ａ】
0003224000.tif 000006
【図３Ｂ】
0003224000.tif 000007
【図４Ａ】
0003224000.tif 000008
【図４Ｂ】
0003224000.tif 000009
【図４Ｃ】
0003224000.tif 000010
【図４Ｄ】
0003224000.tif 000011
【図４Ｅ】
0003224000.tif 000012
【図５Ａ】
0003224000.tif 000013
【図５Ｂ】
0003224000.tif 000014
【図５Ｃ】
0003224000.tif 000015
【図５Ｄ】
0003224000.tif 000016
【図５Ｅ】
0003224000.tif 000017
【図６Ａ】
0003224000.tif 000018
【図６Ｂ】
0003224000.tif 000019
【図７Ａ】
0003224000.tif 000020
【図７Ｂ】
0003224000.tif 000021
【図７Ｃ】
0003224000.tif 000022
【図８Ａ】
0003224000.tif 000023
【図８Ｂ】
0003224000.tif 000024
【図９Ａ】
0003224000.tif 000025
【図９Ｂ】
0003224000.tif 000026
【図９Ｃ】
0003224000.tif 000027
【図１０Ａ】
0003224000.tif 000028
【図１０Ｂ】
0003224000.tif 000029
【図１０Ｃ】
0003224000.tif 000030
【図１１Ａ】
0003224000.tif 000031
【図１１Ｂ】
0003224000.tif 000032
【図１１Ｃ】
0003224000.tif 000033
【図１２】
0003224000.tif 000034
【図１３】
0003224000.tif 000035
【図１４】
0003224000.tif 000036